(57)【特許請求の範囲】
【請求項１】
缶の缶口部へ装着される帽状の合成樹脂製蓋であって、
円形状の頂板と当該頂板の周縁を基端側として垂下する側壁とからなり、
頂板は、頂板の底面に基端部を有して頂板の底面から側壁の内周壁に沿って垂下する突片であって、前記帽状の合成樹脂製蓋が缶の缶口部へ装着された際に、缶の缶口部の周壁を前記側壁の内周壁との間で挟持する突片を備え、
側壁は、側壁を二分する垂直方向の切り込み部を直径対称的に二箇所備え、
前記帽状の合成樹脂製蓋は、側壁に前記二箇所の切り込み部が設けられている位置同士を結ぶ直線が存在するところを境に、あるいは側壁に前記二箇所の切り込み部が設けられている位置近傍の直径対称的な側壁の二箇所の位置を結ぶ直線が存在するところを境に、一方が固定蓋部、他方が開閉蓋部に区画され、
前記帽状の合成樹脂製蓋を固定蓋部と開閉蓋部とに区画する側壁に前記二箇所の切り込み部が設けられている位置同士を結ぶ直線が存在する部分、あるいは側壁に前記二箇所の切り込み部が設けられている位置近傍の直径対称的な側壁の二箇所の位置を結ぶ直線が存在する部分が、当該部分における頂板の底面が断面逆Ｖ字状の溝に形成されていて、当該部分を中心として開閉蓋部が固定蓋部に対して回動できるヒンジ部とされており、
固定蓋部側の頂板は、前記ヒンジ部と平行で、かつ前記ヒンジ部に近接する位置に、頂板の底面から垂下する摺り切り片を備え、
開閉蓋部側の側壁は、その基端側に対向する先端側に、あらかじめ定められている上下方向の幅及び、周方向の幅を有する切り離し可能部を備えている
摺り切り片付き蓋において、
前記開閉蓋部側の頂板底面の前記突片が設けられている位置に、頂板の底面から垂下する壁体が側壁の内周に沿って開閉蓋部の全周に渡り設けられており、
頂板の底面部分であって、帽状の合成樹脂製蓋が缶の缶口部へ装着された際に、缶の缶口部の周壁の上端に対向する頂板の底面部分を含む前記ヒンジ部の頂板周縁近傍における頂板の底面部分は、前記断面逆Ｖ字状の溝を埋め込む埋め込み部を備えている
ことを特徴とする摺り切り片付き蓋。
【請求項２】
頂板の底面から垂下する壁体の頂板の底面から先端までの高さＨ２は、頂板の底面から蓋の側壁の先端までの高さＨ１の３５％〜５５％の範囲であることを特徴とする請求項１記載の摺り切り片付き蓋。
【請求項３】
ヒンジ部の両端から、それぞれ、ヒンジ部の全長の４％〜７％の長さにわたる部分が、ヒンジ部の頂板底面部分において、断面逆Ｖ字状の溝を埋め込む埋め込み部が備えられている頂板周縁近傍に相当することを特徴とする請求項１又は２記載の摺り切り片付き蓋。
【請求項４】
缶口部の近傍において、缶の側壁から水平方向内側に向けて突出している鍔部が缶の側壁と一体的に形成されている缶の缶口部に請求項１乃至３のいずれか一項記載の摺り切り片付き蓋が装着されてなる蓋付き缶。
【発明の詳細な説明】
【０００１】
【発明の属する技術分野】
この発明は、缶口部に蓋が装着されている状態で商品として流通する蓋付き缶に使用する蓋に関するものである。特に、当該蓋付き缶の中に収容されている粉体等の内容物を所定量ずつ取り出す際の計量に使用される摺り切り片が付いている蓋であって、内容物を取りだし可能な状態にした後も、新たな蓋を別に用意する必要がなく、商品として流通している時に缶口部に装着されていた蓋を使用し続けることができる摺り切り片付き蓋に関する。また、当該蓋が装着されている蓋付き缶に関する。
【０００２】
【従来の技術】
缶口部に蓋が装着されている状態で商品として流通する蓋付き缶に使用する蓋であって、当該蓋付き缶の中に収容されている粉体等の内容物を所定量ずつ取り出す際の計量に使用される摺り切り片が付いていて、内容物を取りだし可能な状態にした後も、新たな蓋を別に用意する必要がなく、当該蓋を缶口部に装着したまま使用し続けることのできる摺り切り片付き蓋及び、当該蓋が装着されている蓋付き缶は従来から提案されている。例えば、本願出願人が出願している「摺り切り片付き蓋及び蓋付き缶」（日本国特許出願公開  特開２０００−２８１１１６）がある。
【０００３】
この本願出願人による日本国  特開２０００−２８１１１６で提案されている「摺り切り片付き蓋」は、図１（ａ）、（ｂ）、（ｃ）、図２を参照して説明すると、以下のようなものである。
【０００４】
この摺り切り片付き蓋は、缶１の缶口部２へ装着される帽状の合成樹脂製の蓋１０であって、円形状の頂板３と、頂板３の周縁を基端側として垂下する側壁４とからなるものである。頂板３は、頂板３の底面５に基端部を有して頂板３の底面５から側壁４の内周壁に沿って垂下する突片６を有している。この突片６は、蓋１０が缶１の缶口部２へ装着された際に、缶１の缶口部２の周壁７を蓋１０の側壁４内周壁との間で挟持する役割を果たすものである。側壁４は、側壁４を二分する垂直方向の切り込み部９ａ、９ｂを直径対称的に二箇所備えている。帽状の合成樹脂製の蓋１０は、側壁４に二箇所の切り込み部９ａ、９ｂが設けられている位置同士を結ぶ直線が存在するところを境に、あるいは側壁４に二箇所の切り込み部９ａ、９ｂが設けられている位置近傍の直径対称的な側壁４の二箇所の位置を結ぶ直線が存在するところを境に、一方が固定蓋部１０ａ、他方が開閉蓋部１０ｂに区画されている。帽状の合成樹脂製の蓋１０を固定蓋部１０ａと開閉蓋部１０ｂとに区画する側壁４に二箇所の切り込み部９ａ、９ｂが設けられている位置同士を結ぶ直線が存在する部分、あるいは側壁４に二箇所の切り込み部９ａ、９ｂが設けられている位置近傍の直径対称的な側壁４の二箇所の位置を結ぶ直線が存在する部分が、当該部分における底面５が断面逆Ｖ字状の溝１１に形成されていて、当該部分を中心として開閉蓋部１０ｂが固定蓋部１０ａに対して回動できるヒンジ部１２とされている。固定蓋部１０ａ側の頂板３ａは、ヒンジ部１２と平行で、かつヒンジ部１２に近接する位置に、頂板３ａの底面５から垂下する摺り切り片１３を備えている。開閉蓋部１０ｂ側の側壁４ｂは、その基端側に対向する先端側に、あらかじめ定められている上下方向の幅及び、周方向の幅を有する切り離し可能部１４を備えている。
【０００５】
この日本国  特開２０００−２８１１１６で提案されている「摺り切り片付き蓋」においては、帽状の合成樹脂製の蓋１０は、缶１の缶口部２に装着されると、頂板３の底面５に基端部を有して頂板３の底面５から側壁４の内周壁に沿って垂下する突片６と、蓋１０の側壁４の内周壁との間に、缶１の缶口部２の周壁７を挟持するので、安定的な装着状態を維持できる。
【０００６】
そこで、この蓋１０が装着されている缶１に内容物（例えば、粉ミルクのような粉体）を充填して商品として販売する際には、缶口部２近傍で、缶１の側壁から水平方向内側に向けて缶１の側壁と一体的に突出形成されている鍔部１７の上側に、図１（ｃ）、図３（ａ）図示のように、アルミニウムフィルム１６等の周縁を接着し、蓋１０を缶口部２に装着した後、缶１の底面側開口から内容物（例えば、粉ミルクのような粉体）を充填し、底板を取り付けて、缶１の底面側を塞ぎ、商品（例えば、缶入り粉ミルク）として市場に流通させる。
【０００７】
この商品を購入した者が、蓋１０を缶口部２から取り外そうとしても、前述したように、蓋１０の頂板３の底面５から側壁４の内周壁に沿って垂下する突片６と、側壁４（４ａ、４ｂ）の内周壁との間に、缶１の缶口部２の周壁７が挟持されているので、蓋１０を全体として取り外そうとすることは困難である。
【０００８】
ただし、開閉蓋部１０ｂ側の側壁４ｂには、その基端側に対向する先端側に、あらかじめ定められている上下方向の幅及び、周方向の幅を有する切り離し可能部１４が備えられているので、この切り離し可能部１４を開閉蓋部１０ｂ側の側壁４ｂから切り離すと、開閉蓋部１０ｂ側の側壁４ｂは変形容易になる。
【０００９】
そこで、前記の商品を購入した者は、切り離し可能部１４を開閉蓋部１０ｂ側の側壁４ｂから切り離し、図１（ａ）、図２に矢印１５で示す方向の力を加えることによって、固定蓋部１０ａが缶１の缶口部２に装着されている状態を維持したまま、ヒンジ部１２を中心として開閉蓋部１０ｂ側を回動させ、開閉を繰り返すことが可能になる。
【００１０】
しかも、開閉蓋部１０ｂを閉蓋した際には、前述したように、開閉蓋部１０ｂ側の頂板３ｂに設けられている突片６と、側壁４ｂの内周壁との間に、缶１の缶口部２の周壁７を挟持できるので、側壁４ｂを変形させようと意図した外力、例えば、開閉蓋部１０ｂを開かせようとして加えられる図２に矢印１５で示す方向の力が特別に加えられない限り、閉蓋状態を確実に保持できる。
【００１１】
そこで、前記の商品を購入した者は、切り離し可能部１４を開閉蓋部１０ｂ側の側壁４ｂから切り離し、固定蓋部１０ａが缶１の缶口部２に装着されている状態を維持したまま、開閉蓋部１０ｂを図２図示のように開いて、アルミニウムフィルム１６を取り除き、内容物（例えば、粉ミルク）をスプーンで掬いとり、固定蓋部１０ａに備えられている摺り切り片１３で摺り切って、掬いとり量を調整しながら、希望する分量の内容物（例えば、粉ミルク）を取り出す。
【００１２】
内容物（例えば、粉ミルク）を取り出した後は、開閉蓋部１０ｂを図２に矢印１５で示した方向と反対の方向へ回転させて、閉蓋し、前述したように、開閉蓋部１０ｂ側の頂板３ｂに設けられている突片６と、側壁４ｂの内周壁との間に、缶１の缶口部２の周壁７を挟持して、閉蓋状態を維持させる。
【００１３】
そこで、このように、内容物を取りだし可能な状態にした後も、新たな蓋を別に用意する必要がなく、最初から商品の缶１に装着されていた蓋１０を使用し続けることができる。
【００１４】
【発明により解決しようとする課題】
日本国  特開２０００−２８１１１６で提案されている「摺り切り片付き蓋」は前記のように使用することができるので、内容物を取りだし可能な状態にした後も、新たな蓋を別に用意する必要がなく、商品として流通している時に缶口部に装着されていた蓋を使用し続けることができる。しかも、この蓋は、摺り切り片が付いている蓋であるので、缶に収容されている内容物（例えば、粉ミルク）をスプーンで掬いとる際に、所望の量を計量するため、別添の摺り切り具を缶口部に取り付ける必要がないという優れた効果を発揮するものであった。
【００１５】
この「摺り切り片付き蓋」は、前述したように、開閉蓋部１０ｂを図２に矢印１５で示した方向と反対の方向へ回転させて閉蓋し、開閉蓋部１０ｂ側の頂板３ｂに設けられている突片６と、側壁４ｂの内周壁との間に、缶１の缶口部２の周壁７を挟持して、閉蓋状態を維持できる。そこで、内容物を取りだし可能な状態にして使用している間でも、開閉蓋部１０ｂを閉蓋状態にしておけば、たとえ缶が転倒しても、内容物（例えば、粉ミルク）が外部に漏れ出してしまうおそはない。
【００１６】
しかし、このように転倒してしまうと、缶１の缶口部２の上端面と、開閉蓋部１０ｂ側の頂板３ｂの底面５との間の僅かな隙間や、頂板３の周縁近傍におけるヒンジ部１２の底面５側に形成されている断面逆Ｖ字状の溝１１に内容物が入り込み、開閉蓋部１０ｂを開いたときに、これらの部分に入り込んでいた内容物が外部に漏れ出てしまうおそれがあった。特に、内容物が微粒子状の粉ミルクである場合には、このような傾向があった。
【００１７】
また、切り離し可能部１４を開閉蓋部１０ｂ側の側壁４ｂから切り離した時に、開閉蓋部１０ｂ側の側壁４ｂが変形容易になることを考慮して蓋１０は合成樹脂製とされているので、図２図示のように開蓋した状態から、完全に閉蓋している状態へと、開閉蓋部１０ｂが自動的に復帰することはない。開閉蓋部１０ｂが完全に閉蓋している状態にするためには、開閉蓋部１０ｂ側の頂板３ｂに設けられている突片６と、側壁４ｂの内周壁との間に、缶１の缶口部２の周壁７が確実に挟持される状態になるまで、使用者が、開閉蓋部１０ｂを、図２に示す矢印１５とは反対の方向に、意識的に押し続けなければならない。
【００１８】
しかし、使用者が急いでいた等の理由によりこの作業を完全に行わないでいると、開閉蓋部１０ｂが完全に閉蓋されない状態で止まったままになってしまうことがある。使用者の不注意に起因するこのような場合、極めて小さいとはいえ、外部から缶の内部へ虫などが入り込んでしまう可能性も有り得た。
【００１９】
本発明は、前述したような転倒が生じた場合であっても、その後に開閉蓋部１０ｂを開いたときに、缶１の缶口部２の上端面と、開閉蓋部１０ｂ側の頂板３ｂの底面５との間の僅かな隙間や、頂板３の周縁近傍におけるヒンジ部１２の頂板３の底面５側に形成されている断面逆Ｖ字状の溝１１に入り込んでいた内容物が外部に漏れ出てしまうことを未然に防止することを目的としている。
【００２０】
また、本発明は、前述したように、使用者の不注意に起因して、開閉蓋部１０ｂが完全に閉蓋されない状態で止まったままになってしまっても、外部から缶の内部へ虫などが入り込んでしまう危険性を可能な限り小さくすることを目的としている。
【００２１】
【課題を解決する為の手段】
前記課題を解決するため、この発明が提案する摺り切り片付き蓋は、以下の通りのものである。
【００２２】
まず、この摺り切り片付き蓋は、缶の缶口部へ装着される帽状の合成樹脂製蓋であって、円形状の頂板と当該頂板の周縁を基端側として垂下する側壁とからなるものである。ここで、頂板は、頂板の底面に基端部を有して頂板の底面から側壁の内周壁に沿って垂下する突片であって、前記帽状の合成樹脂製蓋が缶の缶口部へ装着された際に、缶の缶口部の周壁を前記側壁の内周壁との間で挟持する突片を備えている。また、側壁は、側壁を二分する垂直方向の切り込み部を直径対称的に二箇所備えている。そして、前記帽状の合成樹脂製蓋は、側壁に前記二箇所の切り込み部が設けられている位置同士を結ぶ直線が存在するところを境に、あるいは側壁に前記二箇所の切り込み部が設けられている位置近傍の直径対称的な側壁の二箇所の位置を結ぶ直線が存在するところを境に、一方が固定蓋部、他方が開閉蓋部に区画されている。更に、前記帽状の合成樹脂製蓋を固定蓋部と開閉蓋部とに区画する前記の側壁に前記二箇所の切り込み部が設けられている位置同士を結ぶ直線が存在する部分、あるいは側壁に前記二箇所の切り込み部が設けられている位置近傍の直径対称的な側壁の二箇所の位置を結ぶ直線が存在する部分が、当該部分における頂板の底面が断面逆Ｖ字状の溝に形成されていて、当該部分を中心として開閉蓋部が固定蓋部に対して回動できるヒンジ部とされている。そして、固定蓋部側の頂板は、前記ヒンジ部と平行で、かつ前記ヒンジ部に近接する位置に、頂板の底面から垂下する摺り切り片を備えている。開閉蓋部側の側壁は、その基端側に対向する先端側に、あらかじめ定められている上下方向の幅及び、周方向の幅を有する切り離し可能部を備えているものである。
【００２３】
このような摺り切り片付き蓋において、本発明の摺り切り片付き蓋は、前記開閉蓋部側の頂板底面の前記突片が設けられている位置に、頂板の底面から垂下する壁体が側壁の内周に沿って開閉蓋部の全周に渡り設けられており、頂板の底面部分であって、帽状の合成樹脂製蓋が缶の缶口部へ装着された際に、缶の缶口部の周壁の上端に対向する頂板の底面部分を含む前記ヒンジ部の頂板周縁近傍における頂板の底面部分は、前記断面逆Ｖ字状の溝を埋め込む埋め込み部を備えていることを特徴としている。
【００２４】
本発明の摺り切り片付き蓋は、缶口部に装着された際に、側壁内周壁と協動して缶口部周壁を挟持する突片が開閉蓋部側の頂板底面に設けられている位置に、頂板の底面から垂下する壁体が側壁内周に沿って開閉蓋部の全周に渡り設けられている。そこで、缶の内容物を取りだし可能な状態にして使用している場合であって、開閉蓋部１０ｂを閉蓋状態にしている時に、缶が転倒したとしても、内容物（例えば、粉ミルク）が、缶１の缶口部２の上端面と、開閉蓋部１０ｂ側の頂板３ｂの底面５との間の僅かな隙間に入り込み、開閉蓋部１０ｂを開いたときに、この部分に入り込んでいた内容物が外部に漏れ出てしまうことはなくなる。
【００２５】
また、使用者の不注意に起因して、開閉蓋部１０ｂが完全に閉蓋されない状態で止まったままになってしまっても、前記壁体の存在によって、虫などが外部から缶の内部へ入り込んでしまう危険性を確実に低下させることができる。
【００２６】
更に、ヒンジ部の頂板周縁近傍における底面部分は、前記断面逆Ｖ字状の溝を埋め込む埋め込み部を備えているので、缶の内容物を取りだし可能な状態にして使用している場合であって、開閉蓋部１０ｂを閉蓋状態にしている時に、缶が転倒したとしても、内容物（例えば、粉ミルク）が、頂板３の周縁近傍におけるヒンジ部１２の底面５側に形成されている断面逆Ｖ字状の溝１１に入り込み、開閉蓋部１０ｂを開いたときに、この部分に入り込んでいた内容物が外部に漏れ出てしまうことはなくなる。
【００２７】
前述した本発明による作用・効果を確実ならしめるため、頂板の底面から垂下する壁体の頂板の底面から先端までの高さＨ２は、頂板の底面から蓋の側壁の先端までの高さＨ１の３５％〜５５％の範囲になることが望ましい。少なくとも３５％程度なければ、缶の内容物を取りだし可能な状態にして使用していて、開閉蓋部１０ｂを閉蓋状態にしている場合であって、缶が転倒した際に内容物が缶１の缶口部２の上端面と、開閉蓋部１０ｂ側の頂板３ｂの底面との間の僅かな隙間に入り込み、開閉蓋部１０ｂを開いたときに、この部分に入り込んでいた内容物が外部に漏れ出てしまうことを効果的に防止できないからである。また、５５％を越えても、それ以下の場合と比較して効果に特に大きな相違が生じなくなるからである。
【００２８】
また、前述した本発明による作用・効果を確実ならしめるため、ヒンジ部の両端から、それぞれ、ヒンジ部の全長の４％〜７％の長さにわたる部分が、ヒンジ部の頂板底面側の部分において、断面逆Ｖ字状の溝を埋め込む埋め込み部が備えられている頂板周縁近傍に相当することが望ましい。少なくとも、ヒンジ部の両端から、それぞれ、ヒンジ部の全長の４％程度の長さにわたる部分で、ヒンジ部の頂板底面側部分に、断面逆Ｖ字状の溝を埋め込む埋め込み部が備えられていないと、前記の目的を効果的に達成できないが、ヒンジ部の全長の７％程度の長さを越える部分がこのようにされていてもそれ以下の場合と比較して効果に特に大きな相違が生じなくなるからである。
【００２９】
次に、本発明が提案する蓋付き缶は、缶口部の近傍において、缶の側壁から水平方向内側に向けて突出している鍔部が缶の側壁と一体的に形成されている缶の缶口部に、前述した本願の摺り切り片付き蓋が装着されてなる蓋付き缶である。この蓋付き缶は、本発明の摺り切り片付き蓋が発揮する前述した効果が備えられた蓋付き缶となる。
【００３０】
【発明の実施の形態】
この発明の好ましい実施形態を添付図面を参照して説明する。
【００３１】
本発明の摺り切り片付き蓋１０は、缶１の缶口部２（図２）へ装着される帽状の合成樹脂製の蓋１０であって、円形状の頂板３と、頂板３の周縁を基端側として垂下する側壁４とからなる。
【００３２】
頂板３は頂板３の底面５に基端部を有して頂板３の底面５から側壁４の内周壁に沿って垂下する突片６を備えている。この突片６は、蓋１０が缶１の缶口部２へ装着された際に、缶１の缶口部２の周壁７を側壁４の内周壁との間で挟持する役割を果たすものである。
【００３３】
図３（ａ）図示のように、突片６はその先端側に、側壁４の内周壁方向に向かう突部６ａを備えており、缶口部２に形成されている内巻きカール部２ａに係合できるようになっている。このような構造になっていると、閉蓋状態を安定的に維持する上で有利である。
【００３４】
なお図示していないが、缶口部２に形成されているのが外巻きカール部である場合、図３（ａ）図示の場合とは逆に、側壁４の内周壁から内側方向（突片６方向）に向かう突部が側壁４内周壁設けられ、側壁４内周壁に対向する突片６の面は平坦になっている構造、組み合わせにしても同様の作用・効果を得ることができる。
【００３５】
突片６は、図１（ａ）図示のように蓋１０が缶１の缶口部２へ装着された際に、缶１の缶口部２の周壁７を、側壁４の内周壁との間で、図３（ａ）図示のように挟持し、図１（ａ）図示の状態で、蓋１０を缶口部２から取り外そうとしても、蓋１０を全体として取り外すことが困難である程度に安定した閉蓋状態を維持できるようになることを目的として設けられているものである。そこで、費用対効果の観点から、図２、図５、図６図示のように、この目的と果たせる範囲で、所定の間隔をあけて複数個設けておけば十分である。
【００３６】
側壁４は、側壁４を二分する垂直方向の切り込み部９ａ、９ｂを直径対称的に二箇所備えている。
【００３７】
蓋１０は、図１（ａ）図示のように、側壁４に二箇所の切り込み部９ａ、９ｂが設けられている位置同士を結ぶ直線が存在するところを境に、一方が固定蓋部１０ａ、他方が開閉蓋部１０ｂに区画されている。
【００３８】
蓋１０を固定蓋部１０ａと開閉蓋部１０ｂとに区画する側壁４に二箇所の切り込み部９ａ、９ｂが設けられている位置同士を結ぶ直線が存在する部分が、図１（ｂ）図示のように、当該部分における頂板３の底面５が断面逆Ｖ字状の溝１１に形成されていて、当該部分を中心として開閉蓋部１０ｂが、固定蓋部１０ａに対して回動できるヒンジ部１２とされている。
【００３９】
なお、側壁４に二箇所の切り込み部９ａ、９ｂが設けられている位置近傍の直径対称的な側壁４の二箇所の位置を結ぶ直線が存在するところを境に、蓋１０を、固定蓋部１０ａと開閉蓋部１０ｂとに区画することもできる。この場合、蓋１０を固定蓋部１０ａと開閉蓋部１０ｂとに区画する側壁４に二箇所の切り込み部９ａ、９ｂが設けられている位置近傍の直径対称的な側壁４の二箇所の位置を結ぶ直線が存在する部分が、当該部分における頂板３の底面５が断面逆Ｖ字状の溝１１に形成されていて、当該部分を中心として開閉蓋部１０ｂが固定蓋部１０ａに対して回動できるヒンジ部１２になる。
【００４０】
図５は、蓋１０を固定蓋部１０ａと開閉蓋部１０ｂとに区画する側壁４に二箇所の切り込み部９ａ、９ｂが設けられている位置同士を結ぶ直線が存在する部分がヒンジ部１２となる例を表すものである。
【００４１】
また、図６は、側壁４に二箇所の切り込み部９ａ、９ｂが設けられている位置近傍の直径対称的な側壁４の二箇所の位置を結ぶ直線が存在する部分がヒンジ部１２となる例を表すものである。この場合、切り込み部９ａ、９ｂの上端側からヒンジ部１２が存在する位置に向けては、図４（ａ）図示のように、斜めに切れ込み部が設けられることになる。
【００４２】
固定蓋部１０ａ側の頂板３ａは、図１（ｂ）図示のように、ヒンジ部１２と平行で、かつヒンジ部１２に近接する位置に、頂板３ａの底面から垂下する摺り切り片１３を備えている。
【００４３】
開閉蓋部１０ｂ側の側壁４ｂは、その基端側に対向する先端側に、あらかじめ定められている上下方向の幅及び、周方向の幅を有する切り離し可能部１４を備えている。切り離し可能部１４は、薄肉部１４ａ、１４ｂを介して蓋１０の側壁４ｂに接続されている。そこで、摘み部１４ｃを摘んで、図１（ａ）中、矢印１８で示されている方向に引っ張ると、薄肉部１４ａ、１４ｂが切断され、切り離し可能部１４を側壁４ｂから切り取ることができる。
【００４４】
こうして、切り離し可能部１４を側壁４ｂから切り取った後は、合成樹脂製の開閉蓋部１０ｂ側の側壁４ｂは変形容易になる。そこで、切り離し可能部１４が切り取られた位置の側壁４ｂの基端側（図１（ａ）中、上側）を矢印１５方向に押し上げると、図２図示のように、固定蓋部１０ａを缶１の缶口部２に装着させておいたまま、ヒンジ部１２を中心として開閉蓋部１０ｂを回動させ、缶口部２の開閉蓋部１０ｂで塞がれていた部分を開けることができる。
【００４５】
なお、切り離し可能部１４の上下方向の幅及び、周方向の幅は、切り離し可能部１４が切り取られた位置の側壁４ｂの基端側（図１（ａ）中、上側）を矢印１５方向に容易に押し上げることができる程度に、切り離し可能部１４を切り離した後の合成樹脂製の開閉蓋部１０ｂ側の側壁４ｂが変形容易となり、その一方、図２図示の状態から閉蓋した際には、開閉蓋部１０ｂの頂板３ｂに設けられている突片６と側壁４ｂの内周壁との間に缶１の缶口部２の周壁７が挟持されて安定的な閉蓋状態を維持できる程度に、切り離し可能部１４を切り離した後の合成樹脂製の開閉蓋部１０ｂ側の側壁４ｂが強度を有しているようになることを考慮して適宜定めることができる。
【００４６】
そこで、アルミニウムフィルム１６をその摘み片部１９（図３（ａ））を摘んで鍔部１７から引き剥がし、内容物（例えば、粉ミルク）をスプーンで掬いとり、固定蓋部１０ａに備えられている摺り切り片１３で摺り切って、掬いとり量を調整しながら、希望する分量の内容物（例えば、粉ミルク）を取り出す。
【００４７】
内容物（例えば、粉ミルク）を取り出した後は、開閉蓋部１０ｂを図２に矢印１５で示した方向と反対の方向へ回転させて閉蓋し、開閉蓋部１０ｂの頂板３ｂに設けられている突片６と、側壁４ｂの内周壁との間に、缶１の缶口部２の周壁７を挟持して、閉蓋状態を維持させる。
【００４８】
こうして開閉蓋部１０ｂを閉蓋した際には、開閉蓋部１０ｂ側の頂板３ｂに設けられている突片６と、側壁４ｂの内周壁との間に、缶１の缶口部２の周壁７を挟持できるので、側壁４ｂを変形させようと意図した外力、例えば、開閉蓋部１０ｂを開かせようとして加えられる図１（ａ）、図２に矢印１５で示す方向の力が特別に加えられない限り、閉蓋状態を確実に保持できる。
【００４９】
そこで、このように、内容物を取りだし可能な状態にした後も、新たな蓋を別に用意する必要がなく、最初から商品の缶１に装着されていた蓋１０を使用し続けることができる。
【００５０】
なお、図１（ａ）図示のように、固定蓋部１０ａが開閉蓋部１０ｂより小さく、頂板３の直径に直交するヒンジ部１２の長さＬ１が、頂板３の最大直径より小さい状態になっていれば、図２図示のように開蓋した状態では、切り込み部９ａ、９ｂにおける開閉蓋部１０ｂ側の端縁１９ａ、１９ｂは、それぞれ、缶口部２の上端縁に乗り上がり、開閉蓋部１０ｂは開蓋状態を保つことができる。
【００５１】
本発明の摺り切り片付き蓋１０においては、図２、図５図示のように、開閉蓋部１０ｂ側の頂板３ｂの底面５の突片６、６が設けられている位置に、頂板３ｂの底面５から垂下する壁体２０が、側壁４ｂの内周に沿って開閉蓋部１０ｂの全周に渡り設けられている。
【００５２】
蓋１０が缶１の缶口部２に取り付けられて使用されている場合であって、開閉蓋部１０ｂが閉蓋されているときに缶１が転倒したとしても、前述した壁体２０の存在によって、内容物（例えば、粉ミルク）が、缶１の缶口部２の上端面と、開閉蓋部１０ｂ側の頂板３ｂの底面５との間の僅かな隙間に入り込み、開閉蓋部１０ｂを開いたときに、この部分に入り込んでいた内容物が外部に漏れ出てしまうことはなくなる。
【００５３】
また、使用者の不注意に起因して、図４（ａ）図示のように、開閉蓋部１０ｂが完全に閉蓋されない状態で止まったままになってしまっても、開閉蓋部１０ｂと缶口部２との間の隙間は、図４（ｂ）図示のように、壁体２０によって、外部からは塞がれて見える。使用者の不注意に起因して、図４（ａ）図示のように、開閉蓋部１０ｂが完全に閉蓋されない状態で止まったままになってしまっても、この壁体２０の存在によって、虫などが外部から缶の内部に入り込んでしまうという危険性を確実に低下させることができる。
【００５４】
本発明の摺り切り片付き蓋１０は、更に、ヒンジ部１２の頂板３の周縁近傍における底面５側の部分に、図５、図６、図７（ｂ）〜（ｅ）図示のように、断面逆Ｖ字状の溝１１を埋め込む埋め込み部２１ａ、２１ｂを備えている。そこで、蓋１０が缶１の缶口部２に取り付けられて使用されている場合であって、開閉蓋部１０ｂが閉蓋されているときに缶１が転倒したとしても、内容物（例えば、粉ミルク）が、頂板３の周縁近傍におけるヒンジ部１２の底面５側に形成されている断面逆Ｖ字状の溝１１に入り込み、開閉蓋部１０ｂを開いたときに、この部分に入り込んでいた内容物が外部に漏れ出てしまうことはなくなる。
【００５５】
図６は、開閉蓋部１０ｂ側だけでなく、固定蓋部１０ａ側においても、頂板３の底面５に突片６、６が設けられている位置において、頂板３の底面５から垂下する壁体２０が、側壁４ａ、４ｂの内周に沿って固定蓋部１０ａ及び開閉蓋部１０ｂの全周に渡り設けられている例を示すものである。
【００５６】
壁体２０が頂板３ｂの底面５から延びる長さＨ２は、図１（ｃ）に示した頂板３ｂの底面５から蓋１０の側壁４ｂの先端までの高さＨ１の３５％〜５５％の範囲になることが望ましい。少なくとも３５％程度なければ、前述した転倒時の粉漏れを効果的に防止できないからであり、逆に、５５％を越えても、それ以下の場合と比較して効果に特に大きな相違が生じなくなるからである。
【００５７】
また、断面逆Ｖ字状の溝１１を埋め込む埋め込み部２１ａ、２１ｂを備えているヒンジ部１２の頂板３周縁近傍における底面５側の部分は、図５、図６に示したように、ヒンジ部１２の両端から、それぞれ、ヒンジ部１２の全長Ｌ１の４％〜７％になる長さＬ２にわたって設けられているようにしておくことが望ましい。少なくとも、ヒンジ部１２の両端からの長さＬ２が、ヒンジ部１２の全長の長さＬ１の４％程度の長さにわたる部分で、ヒンジ部１２の底面５側に、断面逆Ｖ字状の溝１１を埋め込む埋め込み部２１ａ、２１ｂが備えられていないと、前記の目的を効果的に達成できないからである。また、逆に、ヒンジ部１２の全長Ｌ１の７％程度の長さを越える部分がこのようにされていてもそれ以下の場合と比較して効果に特に大きな相違が生じなくなるからである。
【００５８】
次に、この発明が提案する蓋付き缶は、前述した本発明の摺切り片付き蓋が缶口部に装着されているものである。この缶は、図３（ａ）図示のように、缶口部近傍の缶の側壁が内側方向（円筒状の缶胴の中心方向）へ水平（図３（ａ）中、右側方向）に突出され、この突出された部分が鉛直方向（図３（ａ）中、上下方向）から押圧されて偏平な鍔部１７が、缶１の内側に、缶１の側壁と一体になって形成されているものである。
【００５９】
本発明の蓋付き缶の製造、販売者は、密封用のフィルム（例えば、アルミニウムフィルム）１６の周縁を鍔部１７に接着し、本発明の摺切り片付き蓋１０を前述した缶１の缶口部２に装着し、缶１の底面側を開口したままで納品する。
【００６０】
納品を受けた者は、缶１の底面側から内容物（例えば、粉ミルクのような粉体）を装入し、底板を取り付けて、缶１の底面側を塞ぎ、商品（例えば、缶入り粉ミルク）として市場に流通させる。
【００６１】
缶口部２近傍で、缶１の側壁から内側（円筒状の缶胴の中心方向）に向けて、水平に、缶１の側壁と一体的に突出形成されている鍔部１７を備えている缶及び、このような缶の底面側開口に底板を取り付けて、底面側を塞ぐことは公知の技術であり、ここでは説明を省略する。
【００６２】
以上、添付図面を参照して本発明の好ましい実施形態を説明したが、本発明はかかる実施形態に限定されるものではなく、特許請求の範囲の記載から把握される技術的範囲において種々の形態に変更可能である。
【００６３】
【発明の効果】
この発明によれば、缶の内容物（例えば、粉ミルク）を取りだし可能な状態にした後も、新たな蓋を別に用意する必要がなく、商品として流通している時に缶口部に装着されていた蓋を使用し続けることができる摺り切り片付き蓋において、開閉蓋部側を閉蓋している状態で缶が転倒し、その後、開閉蓋部側を開蓋する際に、内容物が外部に漏れ出てしまうおそれを極めて小さくすることができる。
【００６４】
また、使用者の不注意に起因して、開閉蓋部が完全に閉蓋されない状態で止まったままになってしまっても、缶の内部に外部から虫などが入り込む危険性を極めて小さくすることができる。
【図面の簡単な説明】
【図１】  （ａ）この発明の蓋付き缶の一部を省略し、一部を破切して表した斜視図、（ｂ）この発明の摺り切り片付き蓋の図１（ａ）中、Ａ−Ａ線端面図、（ｃ）この発明の摺り切り片付き蓋の図１（ａ）中、Ｊ−Ｊ線断面図。
【図２】  図１図示の蓋付き缶において、摺り切り片付き蓋における切り離し可能部を切り離して開閉蓋部を立ち上げて開蓋した状態を説明する一部を省略した斜視図。
【図３】  （ａ）図１（ａ）図示の蓋付き缶において、摺り切り片付き蓋の缶口部への装着状態を説明する一部を省略し、図１（ａ）中、Ｂ−Ｂ線断面部分を破切して表した側面図、（ｂ）図１（ａ）図示の蓋付き缶において、摺り切り片付き蓋の缶口部への装着状態を説明する一部を省略した図１（ａ）中、Ｃ−Ｃ線断面図、（ｃ）図１（ａ）図示の蓋付き缶において、摺り切り片付き蓋の缶口部への装着状態を説明する一部を省略した図１（ａ）中、Ｄ−Ｄ線断面図。
【図４】  （ａ）図１（ａ）図示の蓋付き缶において、開閉蓋部による完全な閉蓋が行われていない状態の一部を省略し、一部を破切して表した側面図、（ｂ）図４（ａ）の正面図。
【図５】  この発明の摺り切り片付き蓋の底面図。
【図６】  この発明の他の摺り切り片付き蓋の底面図。
【図７】  （ａ）図５、図６中、Ｅ−Ｅ線端面図、（ｂ）図５、図６中、Ｆ−Ｆ線端面図、（ｃ）図５、図６中、Ｇ−Ｇ線端面図、（ｄ）図５、図６中、Ｈ−Ｈ線端面図、（ｅ）図５、図６中、Ｉ−Ｉ線端面図。
【符号の説明】
１    缶
２    缶口部
２ａ  内巻カール部
３    頂板
４    蓋の側壁
４ａ  固定蓋部側の側壁
４ｂ  開閉蓋部側の側壁
５    蓋の頂板の底面
６    突片
６ａ  突部
７    缶口部の周壁
９ａ、９ｂ    切り込み部
１０    摺り切り片付き蓋
１０ａ  固定蓋部
１０ｂ  開閉蓋部
１１    断面逆Ｖ字状の溝
１２    ヒンジ部
１３    摺り切り片
１４    切り離し可能部
１４ａ、１４ｂ    薄肉部
１４ｃ    摘み部
１６    アルミニウムフィルム
１９    摘み片部
１７    鍔部
１９ａ、１９ｂ  切り込み部における開閉蓋部側の端縁
２０    壁体
２１ａ、２１ｂ    埋め込み部
【図１】
0003806840.tif 000002
【図２】
0003806840.tif 000003
【図３】
0003806840.tif 000004
【図４】
0003806840.tif 000005
【図５】
0003806840.tif 000006
【図６】
0003806840.tif 000007
【図７】
0003806840.tif 000008